(57)【特許請求の範囲】
【請求項１】
路盤に設置される底板と、底板から一体に立設された支承壁とからなるブロック本体と、路盤に埋設される埋設垂下部を備えた埋設部材と、隣接する埋設部材を連結する連結部材とからなるバラスト止めブロック組立体であって、
ブロック本体の底板は、支承壁よりバラスト堆積面部側に上下に貫通する嵌合孔を設け、
埋設部材は、長手方向をブロック本体の配列方向とする略直方体形状をなした埋設垂下部の上部に、前記嵌合孔に嵌合する嵌合突部を設け、該嵌合突部の上部には連結部材と連結する結合部を設けており、
連結部材は、互いに隣接する埋設部材の結合部に連結することを特徴とするバラスト止めブロック組立体。
【請求項２】
嵌合孔は、ブロック本体の配列方向に離間して２箇所に設けられ、それぞれ水平断面が略長方形をなして上方に向かって孔の断面積が小さくなるように形成され、支承壁と反対側の面が垂直面に、他の面がテーパー面に形成されるとともに、嵌合突部は、嵌合孔に対応して、埋設垂下部の長手方向に離間して２箇所に設けられ、それぞれ埋設垂下部の長手方向に平行な面の一方が垂直面に、他の面がテーパー面に形成されていることを特徴とする請求項１記載のバラスト止めブロック組立体。
【請求項３】
埋設部材の長手方向の端面には、一方に突出する連結雄部を、他方に凹所をなす連結雌部を形成し、隣接する埋設部材の連結雄部と連結雌部を嵌合して配列することを特徴とする請求項１または２に記載のバラスト止めブロック組立体。
【請求項４】
支承壁および埋設部材は、配列方向に同じ幅を有し、底板の配列方向の幅は、下端から高さ方向の少なくとも一部で支承壁および埋設部材より短く、互いに隣接するブロック本体の底板の間に、排水用の間隙を形成することを特徴とする請求項１〜３のいずれかに記載のバラスト止めブロック組立体。
【請求項５】
配列方向に隣接するブロック本体に対向する底板の両側面に、それぞれの側の支承壁の側面と共通の平面を頂部に形成する積載用突起を設け、該積載用突起は、配列方向から見て互いに接しないように位置をずらして配置されていることを特徴とする請求項１〜４のいずれかに記載のバラスト止めブロック組立体。
【請求項６】
ブロック本体の支承壁のバラスト堆積側の支承面に取り付けて、堆積バラストの支承高さを前記支承壁より高くする壁面ブロックであって、
支承壁の上面に突出して掛止する掛止部と、該掛止部付近から支承面に沿って上方に延びる壁面本体と、前記掛止部付近から支承面に沿って壁面本体の中央を除く両端が下方に延び、それぞれの下端部はバラスト堆積側に突出して延びる脚部とを有する壁面ブロックをさらに備えたことを特徴とする請求項１〜５のいずれかに記載のバラスト止めブロック組立体。
【発明の詳細な説明】
【技術分野】
【０００１】
本発明は、鉄道線路の構造物等として使用するブロック組立体に関し、とくにバラスト道床の端部に一連に連結して敷設し、バラストの流出を防止するバラスト止めブロック組立体に関するものである。
【背景技術】
【０００２】
このようなバラスト道床の端部に一連に敷設するバラスト止めブロックとしては、先に本出願人が考案した「バラスト流出防止用ブロック」が従来より知られている（下記特許文献１参照）。
このバラスト流出防止用ブロックは、路盤５に敷設する敷き板本体１に支承壁２を立設し、敷き板本体１の支承壁２より一端側に広い歩行面３を設けるとともに、他端側にバラスト堆積面４を設け、該バラスト堆積面４の最後端から、路盤５に埋設する長尺の脚７を突出させたものである。
【先行技術文献】
【特許文献】
【０００３】
【特許文献１】実公平１−１８６８１号公報
【発明の概要】
【発明が解決しようとする課題】
【０００４】
上記特許文献１記載のバラスト流出防止用ブロックは、広い歩行面と長尺の脚によって、列車通過時の振動や地震の振動に対しても安定性を確保し、バラストの流出を確実に阻止することができるものであるが、プレキャスト製とした場合、全体の重量が大きいため、現場での施工に時間がかかり効率が良くなかった。
とくに、このバラスト流出防止用ブロックは、敷き板本体の側面に連結用の雄部と雌部を設け、これを順次隣接するバラスト流出防止用ブロックに嵌め込んでいくため、重いブロックを横から押して嵌合幅の狭い雄部と雌部を嵌合させる作業が面倒であるとともに、一連に配列して敷設することにより連結状態を維持しているだけなので必ずしも連結強度が充分とは言えなかった。
また、敷設箇所によっては、路盤に広い歩行面をとるスペースがない場合もあり、このような場合に対応することができなかった。
【０００５】
本発明は、上記諸問題を解決することを課題とし、路肩が狭く歩行面等の露出した広い敷設面をとることができなくても、安定したバラスト止めブロックを敷設することができ、小型かつ軽量で施工性が良く、敷設作業が容易であるバラスト止めブロック組立体を提供することを目的とする。
【課題を解決するための手段】
【０００６】
本発明は、上記の課題を解決するため、バラスト止めブロック組立体として、路盤に設置される底板と、底板から一体に立設された支承壁とからなるブロック本体と、路盤に埋設される埋設垂下部を備えた埋設部材と、隣接する埋設部材を連結する連結部材とからなるバラスト止めブロック組立体であって、ブロック本体の底板は、支承壁よりバラスト堆積面部側に上下に貫通する嵌合孔を設け、埋設部材は、長手方向をブロック本体の配列方向とする略直方体形状をなした埋設垂下部の上部に、前記嵌合孔に嵌合する嵌合突部を設け、該嵌合突部の上部には連結部材と連結する結合部を設けており、連結部材は、互いに隣接する埋設部材の結合部に連結することを特徴とする構成を採用する。
【０００７】
バラスト止めブロック組立体の具体的実施形態として、嵌合孔は、ブロック本体の配列方向に離間して２箇所に設けられ、それぞれ水平断面が略長方形をなして上方に向かって孔の断面積が小さくなるように形成され、支承壁と反対側の面が垂直面に、他の面がテーパー面に形成されるとともに、嵌合突部は、嵌合孔に対応して、埋設垂下部の長手方向に離間して２箇所に設けられ、それぞれ埋設垂下部の長手方向に平行な面の一方が垂直面に、他の面がテーパー面に形成されていることを特徴とする構成を採用する。
【０００８】
また、バラスト止めブロック組立体のさらなる具体的実施形態として、埋設部材の長手方向の端面には、一方に突出する連結雄部を、他方に凹所をなす連結雌部を形成し、隣接する埋設部材の連結雄部と連結雌部を嵌合して配列することを特徴とする構成、支承壁および埋設部材は、配列方向に同じ幅を有し、底板の配列方向の幅は、下端から高さ方向の少なくとも一部で支承壁および埋設部材より短く、互いに隣接するブロック本体の底板の間に、排水用の間隙を形成することを特徴とする構成、配列方向に隣接するブロック本体に対向する底板の両側面に、それぞれの側の支承壁の側面と共通の平面を頂部に形成する積載用突起を設け、該積載用突起は、配列方向から見て互いに接しないように位置をずらして配置されていることを特徴とする構成を採用する。
【０００９】
バラスト止めブロック組立体の別の具体的実施形態として、ブロック本体の支承壁のバラスト堆積側の支承面に取り付けて、堆積バラストの支承高さを前記支承壁より高くする壁面ブロックであって、支承壁の上面に突出して掛止する掛止部と、該掛止部付近から支承面に沿って上方に延びる壁面本体と、前記掛止部付近から支承面に沿って壁面本体の中央を除く両端が下方に延び、それぞれの下端部はバラスト堆積側に突出して延びる脚部とを有する壁面ブロックをさらに備えたことを特徴とする構成を採用する。
【発明の効果】
【００１０】
本発明のバラスト止めブロック組立体は、ブロック本体と埋設部材と連結部材とから形成されているため、従来のように全体が一体型のバラスト止めブロックよりも個々の部材は小型軽量となり、現場での施工が容易となった。
また、路盤に埋設した埋設部材の嵌合突部をブロック本体の底板の嵌合孔に嵌合させ、連結部材によって、隣接する埋設部材の嵌合突部の結合部を互いに連結しているから、現場施工時には、重いブロック本体を上から降ろして嵌合突部に嵌合して設置するだけでよく、作業性が良好となり、かつ、連結部材により隣接する埋設部材相互を連結することで隣接するブロック本体をも確実に固定することができるから、一連に配列され敷設されたバラスト止めブロック組立体の安定度を高いものにすることができた。
【００１１】
ブロック本体の嵌合孔を、配列方向に離間して２箇所に設け、それぞれ水平断面が略長方形をなして上方に向かって孔の断面積が小さくなるように形成し、支承壁と反対側の面を垂直面に、他の面をテーパー面に形成するとともに、埋設部材の嵌合突部を、嵌合孔に対応して、埋設垂下部の長手方向に離間して２箇所に設け、それぞれ埋設垂下部の長手方向に平行な面の一方を垂直面に、他の面をテーパー面に形成した実施形態では、ブロック本体と埋設部材が確実かつ緊密に嵌合し、安定して連結することができるとともに、支承壁と反対側を垂直面としているので、汎用の杭を使用することによってもブロック本体を固定することができ、固定部材として埋設部材と汎用杭とを兼用することができる。
【００１２】
また、埋設部材の長手方向の端面に、一方に突出する連結雄部を、他方に凹所をなす連結雌部を形成した実施形態では、隣接する埋設部材相互のずれを防止して、バラスト止めブロック組立体の一連の配列状態を確実に守ることができる。
さらに、隣接する底板間に排水用間隙を形成した実施形態では、支承壁に大きな排水口を設けなくとも、充分に大きな排水スペースを確保することができ、支承壁の強度を高めることができる。
【００１３】
配列方向に隣接するブロック本体に対向する底板の両側面に、それぞれの側の支承壁の側面と共通の平面を頂部に形成する積載用突起を設け、該積載用突起が配列方向から見て互いに接しないように位置をずらして配置された実施形態では、運搬や貯留のためにブロック本体を積載するとき、バランスよく荷重を支えることができ、また敷設時には、隣接する積載用突起が接しないようにして施工を容易にすることができるとともに、連続する広い排水路面積を確保してゴミなどの異物が積載用突起に引っかかりにくくすることができる。
ブロック本体に、さらに壁面ブロックを積み重ねた実施形態では、ブロック本体の支承壁よりも高くバラストを支承することができ、支承壁の上面に掛止する掛止部と支承面に沿って延びる脚部によって、壁面ブロックを安定的に支承壁に取り付けることができる。
【図面の簡単な説明】
【００１４】
【図１】本発明の第１実施例であるバラスト止めブロック組立体を一連に敷設した状態を示す斜視図である。
【図２】図１のバラスト止めブロック組立体のＡ−Ａ線における矢視方向からみた断面側面図である。
【図３】本発明の第１実施例であるバラスト止めブロック組立体のブロック本体を想像線で示す埋設部材とともに示す図であり、（ａ）は上面図、（ｂ）は正面図である。
【図４】本発明の第１実施例であるバラスト止めブロック組立体のブロック本体の側面図である。
【図５】本発明の第１実施例であるバラスト止めブロック組立体の埋設部材を示す図であり、（ａ）は上面図、（ｂ）は図（ａ）のＢ−Ｂ線における断面正面図、（ｃ）は図（ａ）のＣ−Ｃ線における断面側面図である。
【図６】本発明の第１実施例であるバラスト止めブロック組立体のブロック本体を杭を使って固定した使用態様を、図２と同様の断面で示した断面側面図である。
【図７】本発明の第１実施例であるバラスト止めブロック組立体のブロック本体を積み重ねた状態を示す図であり、（ａ）は上面図、（ｂ）は正面図である。
【図８】本発明の第２実施例であるバラスト止めブロック組立体のブロック本体を示す図であり、（ａ）は上面図、（ｂ）は正面図である。
【図９】本発明の第３実施例であるバラスト止めブロック組立体を、図２と同様の断面で示した断面側面図である。
【図１０】本発明の第３実施例であるバラスト止めブロック組立体のブロック本体を示す図であり、（ａ）は側面図、（ｂ）は背面図である。
【図１１】本発明の第４実施例である壁面ブロックを取り付けたバラスト止めブロック組立体を、図２と同様の断面で示した断面側面図である。
【図１２】本発明の第４実施例である壁面ブロックを取り付けたバラスト止めブロック組立体を一連に敷設した状態を示す正面図である。
【発明を実施するための形態】
【００１５】
次に、本発明のバラスト止めブロック組立体について、実施例を示した図面を参照して説明する。
【実施例１】
【００１６】
図１〜７において、ａはブロック本体、ｂは埋設部材、ｃは連結部材であり、Ｘは線路が敷設されるバラスト道床、Ｙはバラスト止めブロック組立体が敷設される路盤を示す。
図１、２に示すように、バラスト止めブロック組立体は、それぞれ一のブロック本体ａに対して一の埋設部材ｂが対応し、隣接する埋設部材ｂを連結部材ｃで連結することにより、埋設部材ｂに嵌合する隣接するブロック本体ａをも一連に連結して敷設される。  
【００１７】
ブロック本体ａは、路盤に設置される底板１と、底板１のバラスト堆積面部２と反対側の端部近傍に一体に立設された支承壁３からなり、底板１は、バラスト道床側に長く延びて広いバラスト堆積面部２を確保している。
本実施例は、支承壁３を底板１のバラスト堆積面部２と反対側の端部近傍に立設しているので、路肩の狭い箇所でも敷設可能である。
底板１のバラスト堆積面部２と反対側の端部には、支承壁３との間に短い延長部９を設けている。短くても延長部９を設けることは、ブロック本体の転倒を防止し安定度を高める上で有効である。
【００１８】
支承壁３は、バラスト道床側の支承面４が底板から略垂直に立ち上がっており、支承面４と反対側の露出面５は、支承壁３の厚さが上方に向けてわずかに小さくなるように傾斜している。
支承壁３には、後に詳述する壁面ブロックｈを取り付けるための取付孔６が設けられている。取付孔６は、バラスト道床側から反対側に向けて孔が小さくなるようにテーパーが設けられている。
【００１９】
図３，４に示すように、底板１には、バラスト堆積面部２側の端部寄りにブロック本体ａの配列方向に離間して２つの嵌合孔７Ｒ，７Ｌが設けられている。
嵌合孔７Ｒは支承面４に向かって右側，７Ｌは支承面４に向かって左側にあり、それぞれ水平断面が略長方形をなして上方に向かって孔の断面積が小さくなるように形成され、後述する埋設部材ｂの嵌合突部２２に嵌合される（図３では埋設部材ｂを想像線で示している）。
本実施例では、ブロック本体ａの嵌合孔７Ｒ，７Ｌにおける支承壁３と反対側の面を垂直面、支承壁３側の面をテーパー面としている。
また、嵌合孔７Ｒ，７Ｌの配列方向に垂直な２面にも小さなテーパー面を設けて、両者の嵌合がさらに容易かつ密着して良好に行われるようにしている。
【００２０】
支承壁３の両側面１０，１０間の幅Ｄ、すなわちブロック本体ａの配列方向の支承壁３の長さは、底板１の両側面１１，１１間の幅Ｄ１よりも２Ｅだけ大きく形成されており、ブロック本体ａを一連に配列した際に、隣接するブロック本体ａの支承壁３が隙間なく密接して一連の支承壁群を形成するとともに、隣接するブロック本体ａの底板側面１１の間に幅２Ｅの間隙を形成し、該間隙は堆積バラストからの排水を行う排水口として機能する。
【００２１】
支承壁３の側面１０の下端部には面取り１２が施され、底板側面１１になだらかに移行している。
ブロック本体ａの底板側面１１には、支承壁３と反対側の端部近くに、支承壁３に向かって右側に積載用突起８Ｒ，左側に積載用突起８Ｌを設けている。
積載用突起８Ｒ、８Ｌは、それぞれの側の支承壁側面１０と共通の平面を頂部に形成するとともに、配列方向から見て互いに接しないように位置をずらして配置されている。
【００２２】
図５に示すように、埋設部材ｂは、路盤に埋設される埋設垂下部２１と、埋設垂下部２１の上部に長手方向に離間して突出する２つの嵌合突部２２、２２とからなっている。
埋設垂下部２１は略直方体形状をなしており、埋設したときにブロック本体の配列方向と一致する長手方向に、支承壁３と同じ長さＤを有し、長手方向の端面には、一方に突出する連結雄部２５、他方に凹所をなす連結雌部２６が形成されている。
【００２３】
嵌合突部２２，２２は、それぞれ嵌合孔７Ｒ，７Ｌの形状に対応して、水平断面が略長方形をなし、上方に向かって断面積が小さくなるように、立ち上がり面にはテーパーが設けられている。
本実施例では、嵌合突部２２の立ち上がり面は、嵌合孔７Ｒ，７Ｌの形状に対応して、埋設垂下部の長手方向に平行な面の一方が垂直面となり、他の３方の面がテーパー面となっている。
【００２４】
嵌合突部２２のそれぞれの上部には、連結部材ｃを連結するための結合部２３が設けられている。
結合部２３は、本実施例では連結ボルト３１に螺合する雌ねじ部材２４がインサートされたものであるが、これに限定されるものではない。
【００２５】
連結部材ｃは、両端近傍に連結ボルト３１が挿通する長孔３２を設けた長尺のプレートであり、非腐食性の金属材料、ないしは非腐食性の皮膜または塗幕が施された鋼材などが用いられることが望ましい。
埋設部材ｂの結合部２３と埋設垂下部２１の端部との距離を一定に設定しておけば、連結部材ｃは同じ長さのものを大量に用意すればよく、効率的である。
【００２６】
次に、本実施例のバラスト止めブロック組立体を敷設する態様と作用効果について説明する。
まず、バラスト道床Ｘの端部から路盤Ｙを整地するように掘削する。
路盤Ｙに埋設部材ｂの埋設垂下部２１を埋設する溝を掘削し、埋設部材ｂを、隣接する長手方向端面の連結雄部２５と連結雌部２６とを嵌合するとともに、端面に隙間が生じないように配設して該溝に埋設する。
【００２７】
埋設部材ｂの埋設垂下部２１が埋設された路盤Ｙに砂等を布設した上で、ブロック本体ａの嵌合孔７Ｒ、７Ｌを埋設部材ｂの嵌合突部２２，２２に嵌合しつつ、上方からブロック本体を敷設する。
嵌合突部２２は、上方に向かって水平面における断面積が小さくなるようにテーパーが設けられているので、嵌合が容易であるとともに嵌合孔７と緊密に嵌合する。
このとき、ブロック本体ａの支承壁３の隣接する側面１０，１０、および埋設部材ｂの埋設垂下部２１の隣接する端部は、それぞれ互いに隙間なく接するように敷設される。
さらに、図１に示すように、底板１の一方の嵌合孔７Ｌに嵌合した嵌合突部２２は、隣接するブロック本体ａの嵌合孔７Ｒに嵌合した隣接する埋設部材ｂの嵌合突部２２と、それぞれの上部に設けられた結合部２３で連結部材ｃにより連結される。
【００２８】
このように敷設されるので、ブロック本体ａよりも軽量な埋設部材ｂを隙間なく配列して埋設すれば、後は重いブロック本体ａを嵌合突部２２に嵌合させながら上方から降ろして設置すればよく、現場での作業性が良好で効率的である。
そして、各ブロック本体ａは対応する各埋設部材ｂによって位置固定されるとともに、各ブロック本体ａと各埋設部材ｂは、隣接するブロック本体ａと埋設部材ｂに相互に接し、連結部材ｃにより隣接する埋設部材ｂ相互が連結固定されるから、配列方向にしっかりと固定され、一連の敷設方向の安定度を高めてバラストの流出を防ぐことができる。
【００２９】
また、底板１の幅Ｄ１は支承壁３と埋設部材ｂの幅Ｄより２Ｅだけ小さいので、隣接するブロック本体ａの底板１の側面１１，１１間に、幅２Ｅの排水用間隙を形成して排水口として機能させることができる。
そのため、従来のように支承壁３に排水用孔を設けなくともよく、排水用孔を設けることによって支承壁３の強度を低下させることがない。
また、本実施例では、この排水口を形成する間隙は底板１の高さ分の長さを有するので、大きな排水口スペースを確保することができ、強度と排水能力をともに確保しつつ設計の自由度を高めることができる。
【００３０】
さらに、本実施例では、嵌合突部２２が嵌合孔７Ｒ，７Ｌに対応して、嵌合孔７Ｒ，７Ｌにおける支承壁３と反対側の面、すなわち、バラスト堆積側の面を垂直面とし、他の面をテーパー面としているので、ブロック本体と埋設部材が確実かつ緊密に嵌合し、安定して連結することができるとともに、図６に示すように、該垂直面に当接する平面をもった三角杭２７のような汎用の角形杭によっても、堆積したバラストの圧力によりブロック本体ａが動かないように固定することができる。
【００３１】
また、図７に示されるように、本実施例では、ブロック本体ａは、バンド５０により所定組ずつまとめて積載されるが、支承壁側面１０および底板側面１１を水平にしてブロック本体ａを積み重ねたとき、底板側面１１に設けた積載用突起８Ｒ、８Ｌの頂部が、それぞれの側の支承壁側面１０と共通の平面を形成しているので、支承壁側面１０と積載用突起８Ｒ、８Ｌの頂部とによりバランスよく水平に支持され、積載時に傾くようなことがない。
さらに、この積載用突起８Ｒ、８Ｌは、配列方向から見て互いに位置をずらして配置されているので、ブロック本体ａを敷設するときに、隣接する積載用突起８Ｒ、８Ｌが互いに接して施工の邪魔になったり、ブロック本体ａの配列を乱したりすることがない。
また、積載用突起８Ｒ、８Ｌは、互いに位置をずらして配置されているので、排水路断面が積載用突起によって画成されず、連続する広い排水路面積を確保して、ゴミなどの異物が積載用突起に引っかかりにくくすることができる。
【００３２】
連結部材ｃは、長孔３２に挿通された連結ボルト３１により、隣接するブロック本体ａの底板１の上下に貫通する嵌合孔７Ｒ、７Ｌに嵌合した嵌合突部２２，２２の上部に設けられた雌ねじ部材２４に連結され、隣接するブロック本体ａの底板１の上面を跨いで固定される。
このように、連結部材ｃは、次々に隙間なく隣接する埋設部材ｂを連結していくから、一連に敷設された埋設部材ａ全体を、あたかも一体の長尺な埋設構造物であるかのように強化することができるとともに、ブロック本体ａの浮き上がりや移動をも阻止して、一連に敷設されたバラスト止めブロック組立体群を一体のものとして安定度を高めることができる。
【実施例２】
【００３３】
次に、ブロック本体ａの支承壁３の一方の側面にスライド嵌合凸条を、他方の側面にスライド嵌合凹条を設けた第２実施例について、図面を参照して説明する。
埋設部材ｂ、連結部材ｃについては、第１実施例と同じなので説明を省略し、ブロック本体ａについて、第１実施例と異なる点を中心に説明する。
【００３４】
図８に示すように、本実施例のバラスト止めブロック組立体は、ブロック本体ａの支承壁３の側面１０、すなわち配列方向で隣接するブロック本体ａの支承壁３の対向する面の一方にスライド嵌合凸条１３を、他方にスライド嵌合凹条１４を、それぞれ鉛直方向に設けている。
スライド嵌合凸条１３とスライド嵌合凹条１４とは、嵌合した状態でスライド可能な程度に嵌合される略台形状の断面をなしている。
スライド嵌合凸条１３は、支承壁３の側面１０の下端部から少し上方の位置より立ち上がって、支承壁の上面まで延びている。スライド凹条１２は、支承壁３の側面１０の下端から上面まで溝状に延びている。
【００３５】
本実施例のバラスト止めブロック組立体を敷設する態様と作用効果について説明する。
本実施例のブロック本体ａについても、嵌合孔７Ｒ、７Ｌを埋設部材ｂの嵌合突部２２に嵌合しつつ、上方からブロック本体を敷設していくが、この際、本実施例では、すでに配列され敷設されている隣接するブロック本体ａの側面１０のスライド嵌合凹条１４にスライド嵌合凸条１３を嵌合させながら、ブロック本体ａを上方から下降させ、嵌合孔７Ｒ、７Ｌを埋設部材ｂの嵌合突部２２に嵌合して敷設していく。
本実施例は、このように敷設していくことによって、ブロック本体ａの浮き上がりや移動を一層堅固に阻止することができ、一連に敷設されたバラスト止めブロック組立体群をさらに一体のものとして安定度を高めることができる。
【実施例３】
【００３６】
次に、ブロック本体の延長部に歩行面を設けて歩行面部とした第３実施例について説明する。
以下、第１実施例と同一の構成部分には同一の符号に添字ｓを付し、相違点を中心に説明する
【００３７】
図９，１０に示されるように、本実施例では、ブロック本体ａｓの底板１ｓの支承壁３ｓよりバラスト堆積面部２ｓと反対側に歩行面部（延長部）９ｓを設け、その上部に歩行面を形成している。
歩行面にはブロック組立体の配列方向に直角に溝が切られ、歩行時にすべらないようにするとともに排水を良好にしている。
【００３８】
該歩行面により連続した歩行路を形成するため、底板１ｓの上部は、配列方向に支承壁３ｓおよび埋設部材ｂｓと同じ幅を有し、下部は支承壁３ｓより幅が短くなって底板側面１１の下部は排水口形成部１５を形成している。
排水口形成部１５は、隣接するブロック本体ａｓの排水口形成部１５と対向して排水口として機能する間隙を形成する。排水口形成部１５の高さＨは、底板１ｓの強度を確保できる範囲で適宜決定しうる。
本実施例では、さらに水抜き孔１６を支承壁３ｓに設けているが、必ずしも必要ではない。
【００３９】
本実施例は、路肩に余裕がある場合に、ブロック本体ａｓの底板１ｓに歩行面を形成して、ブロック組立体を敷設して一連に配列したとき、路肩に歩行路を同時に整備することができる。
また、底板１ｓの配列方向の端面の下部に排水口形成部１５を設けたから、底面１ｓの上部を歩行面とするとともに、隣接する排水口形成部１５との間に排水口となる間隙を形成することができる。
【実施例４】
【００４０】
次に、ブロック本体ａに壁面ブロックｈを取り付けたバラスト止めブロック組立体である第４実施例について、図面を参照して説明する。
図面上、第１実施例のブロック本体ａ、埋設部材ｂ、連結部材ｃを用いて説明するが、本実施例は、第１〜３実施例におけるブロック本体ａ，ａｓ、埋設部材ｂ，ｂｓ、連結部材ｃ，ｃｓのいずれを用いても実施可能であり、これら部材についての説明は省略する。
【００４１】
図１１，１２に示すように、本実施例のバラスト止めブロック組立体は、ブロック本体ａの上部に壁面ブロックｈを取り付けて、堆積バラストの支承高さをさらに高くするものである。
壁面ブロックｈは、支承壁３と同じ幅Ｄを有し、支承壁３の支承面４に沿って取り付けられる。
壁面ブロックｈには、高さ方向の中央より下方でバラスト道床Ｘの反対側に突出し、支承壁３の上面に掛止する掛止部４１が設けられている。
該掛止部４１より上方には、バラスト道床Ｘの堆積バラストを支承する壁面本体４２が支承面４に沿って延びている。
掛止部４１より下方には、中央に設けられた支承壁３への取付のための空間を除いて、両端の２つの脚部４３に分かれて支承面４に沿って延びており、脚部４３の下端部はバラスト堆積側に突出して延びる鉤部４４を形成している。
【００４２】
壁面ブロックｈの側面には、一方に壁面雄部４５、他方に壁面雌部４６が形成され、隣接する壁面ブロックｈの壁面雌部４６には壁面雄部４５が、隣接壁面ブロックの壁面雄部４５には壁面雌部４６が嵌合して、壁面ブロックｈは、配列方向に隙間なく連結されて一体となった支承壁面を形成する。
壁面ブロックｈは、バラスト堆積側から２つの脚部４３に跨るように、取付部材４７を支承壁３の取付孔６に取付ボルト４８で取り付けることによって、支承壁３に取り付けられる。
【００４３】
次に、本実施例のバラスト止めブロック組立体を敷設する態様と作用効果について説明する。
ブロック本体ａ、埋設部材ｂ、連結部材ｃを敷設し、組み立てる施工方法については、第１実施例で説明したとおりである。
本実施例では、敷設・組立られたブロック本体ａの支承壁３上面に壁面ブロックｈの掛止部４１を当接し、脚部４３が支承面４に接する状態を保持しながら、側面の壁面雄部４５を隣接する壁面ブロックｈの壁面雌部４６に嵌合させる。
その後、前記中央の取付空間に取付部材４７を脚部４３に跨るようにして設置し、取付ボルト４８により取付部材４７を支承壁３の取付孔６に結合する。
【００４４】
壁面ブロックｈの壁面本体４２までバラストが堆積すると、壁面本体４２には、掛止部４１付近を中心として堆積したバラストの圧力によるモーメントが発生するが、脚部４３には、堆積したバラストの圧力によるモーメントが働くとともに取付部材４７によって支承壁３に結合されているので、壁面ブロックｈが転倒することはない。
壁面ブロックｈには、脚部４３の下端部に鉤部４４を設けているから、脚部４３の高さが短くても転倒を防止するモーメントを大きくすることができるので、支承壁３の高さに比較して、高いバラスト支承高さを得ることが可能である。
【産業上の利用可能性】
【００４５】
本発明のバラスト止めブロック組立体は、鉄道線路用のバラスト道床の端部に一連に敷設し、バラストの流出を防止するバラスト止めブロック組立体として好適であるが、鉄道線路用に限定されず、バラストの流出を防止し堆積したバラストを保持するブロック組立体として広く利用できる。
【符号の説明】
【００４６】
ａ    ａｓ    ブロック本体
ｂ    ｂｓ    埋設部材
ｃ    ｃｓ    連結部材
ｈ            壁面ブロック
Ｘ            バラスト道床
Ｙ            路盤
１    １ｓ    底板
２    ２ｓ    バラスト堆積面部
３    ３ｓ    支承壁
４    ４ｓ    支承面
５    ５ｓ    露出面
６    ６ｓ    取付孔
７Ｒ  ７Ｒｓ  嵌合孔（右側）
７Ｌ  ７Ｌｓ  嵌合孔（左側）
８Ｒ          積載用突起（右側）
８Ｌ          積載用突起（左側）
９    ９ｓ    延長部（歩行面部）
１０            支承壁側面
１１            底板側面
１２            面取り
１３            スライド嵌合凸条
１４            スライド嵌合凹条
１５            排水口形成部
１６            水抜き孔
２１            埋設垂下部
２２  ２２ｓ    嵌合突部
２３  ２３ｓ    結合部
２４  ２４ｓ    雌ねじ部材
２５            連結雄部
２６            連結雌部
２７            三角杭
３１  ３１ｓ    連結ボルト
３２            長孔
４１            掛止部
４２            壁面本体
４３            脚部
４４            鉤部
４５            壁面雄部
４６            壁面雌部
４７            取付部材
４８            取付ボルト
５０            バンド
【図１】
0005236783.tif 000002
【図２】
0005236783.tif 000003
【図３】
0005236783.tif 000004
【図４】
0005236783.tif 000005
【図５】
0005236783.tif 000006
【図６】
0005236783.tif 000007
【図７】
0005236783.tif 000008
【図８】
0005236783.tif 000009
【図９】
0005236783.tif 000010
【図１０】
0005236783.tif 000011
【図１１】
0005236783.tif 000012
【図１２】
0005236783.tif 000013